(57)【要約】【課題】  分割されていない敷き寝具であっても部分的に機能を異ならせることができる寝具カバーを提供する。【解決手段】寝具カバー１は、少なくとも敷き寝具３の上面を覆う基材部５を有する本体４と、前記基材部５の上に、前記敷き寝具３の就寝者の上下方向に連続して複数並べて配置され、前記基材部５に少なくとも一方の側面が開放可能に固定されて、前記基材部５との間に収納部９を形成する上面部８と、を備え、前記収納部９には機能性シート１０が出し入れ可能に挿入される。【選択図】図１
0003221594.tif 000002
【実用新案登録請求の範囲】
【請求項１】
少なくとも敷き寝具の上面を覆う基材部を有する本体と、
前記基材部の上に、前記敷き寝具の就寝者の上下方向に連続して複数並べて配置され、前記基材部に少なくとも一方の側面が開放可能に固定されて、前記基材部との間に収納部を形成する上面部と、を備え、
前記収納部には機能性シートが出し入れ可能に挿入される、
ことを特徴とする寝具カバー。
【請求項２】
前記機能性シートは、防水性シート又は吸水性シートを含み、
前記上面部は通液性を有する網状に形成されることを特徴とする請求項１に記載の寝具カバー。
【請求項３】
前記上面部は伸縮性を有することを特徴とする請求項１又は請求項２に記載の寝具カバー。
【考案の詳細な説明】
【技術分野】
【０００１】
本考案は、マットレスや敷布団などの敷き寝具の少なくとも上面を覆う寝具カバーに関する。
【背景技術】
【０００２】
マットレスや敷き布団は洗濯が容易ではないので、例えばシーツやベッドパッドなどの寝具カバーを取り付けて使用し、マットレスや敷き布団自体の汚れを抑制することが広く行われている。
【０００３】
また、使用しないときの収納場所を省スペース化するために３分割されたマットレスを収納する３つの収納袋を連ならせて形成した寝具カバーに収納して使用するものも知られている。３分割されていればマットレスを３つに折りたたんで重ねることができるので省スペース化することができる。さらに、マットレスが３分割されつつ、当該分割されたマットレスが厚さ方向に複数枚積層された構成とすることで、洗濯を容易にしたものも知られている。すなわち、マットレスを分割するとともに厚さを薄くすることで、洗濯槽や脱水槽に入れることができ、且つ乾燥時に内部までは乾きやすいものとすることができる（特許文献１参照）。
【０００４】
そして、本願の出願人は、３つに分割されたマットレスを３連の収納袋に収納する構成において、発熱性シートと、通気性の良い三次元網状構造体が積層されており、発熱性シートを出し入れすることで、冬場には暖かさが感じられるマットレスに変更し、夏場には涼しさが感じられるマットレスに変更するものを開示している（特許文献２参照）。このマットレスによると、３つに分割されているので、たとえば腰の部分だけ発熱性シートを挿入して一部のみ暖かくするなど、季節やユーザの好みに合わせて、一部のマットレスのみ機能性の異なるものとすることもできる。
【先行技術文献】
【特許文献】
【０００５】
【特許文献１】特開２００２−１１２８５３号公報
【特許文献２】実用新案登録第３２０８２２７号公報
【考案の概要】
【考案が解決しようとする課題】
【０００６】
ところでマットレスや敷き布団などの敷き寝具は分割されていないものも多数存在しており、そのようなマットレスや敷き布団においては、一部のみ異なる機能性の敷き寝具とすることができない。
【０００７】
そこで本考案は、分割されていない敷き寝具であっても部分的に機能を異ならせることができる寝具カバーを提供することを目的とする。
【課題を解決するための手段】
【０００８】
本考案の寝具カバーは、少なくとも敷き寝具の上面を覆う基材部を有する本体と、前記基材部の上に、前記敷き寝具の就寝者の上下方向に連続して複数並べて配置され、前記基材部に少なくとも一方の側面が開放可能に固定されて、前記基材部との間に収納部を形成する上面部と、を備え、前記収納部には機能性シートが出し入れ可能に挿入されることを特徴としている。
【０００９】
本考案の寝具カバーは、前記機能性シートは、防水性シート又は吸水性シートを含み、前記上面部は通液性を有する網状に形成されることを特徴としている。
【００１０】
本考案の寝具カバーは、前記上面部は伸縮性を有することを特徴としている。
【考案の効果】
【００１１】
本考案の寝具カバーによると、少なくとも敷き寝具の上面を覆う基材部を有する本体と、前記基材部の上に、前記敷き寝具の就寝者の上下方向に連続して複数並べて配置され、前記基材部に少なくとも一方の側面が開放可能に固定されて、前記基材部との間に収納部を形成する上面部と、を備えており、収納部には出し入れ可能に機能性シートが挿入されるので、機能性シートを入れ替えることで、敷き寝具の機能性を変更することができるとともに、収納部が上下方向に並べて複数形成されることとなるので、これらの複数の収納部に異なる種類の機能性シートを挿入することで、上下方向に複数の異なる機能性を有する敷き寝具とすることができる。
【００１２】
本考案の寝具カバーによると、機能性シートに、防水性シート又は吸水性シートが含まれており、上面部は通液性を有する網状に形成されているので、例えば介助用や幼児用の敷き寝具として用いる場合には、就寝者の腰付近に配置される機能性シートを防水性シート又は吸水性シートとすることで、尿などが敷き寝具に付着することを防止でき、機能性シートを取り出すことで汚れた機能性シートを簡単に取り替えることもできる。また、網状に形成されていることで、寝具カバー自体には尿などの付着が少なく、且つ簡単に乾燥することができる。
【００１３】
本考案の寝具カバーによると、前記上面部は伸縮性を有するので、敷き寝具の沈み込みに追従することができ、敷き寝具自体の寝心地を妨げることを抑制できる。また、敷き寝具の沈み込みに追従できることで、床ずれの発生も抑制できる。
【図面の簡単な説明】
【００１４】
【図１】敷き寝具としてのマットレスが収納された本実施形態の寝具カバーの外観構成を示す斜視図。
【図２】敷き寝具としてのマットレスが収納された寝具カバーの内部構成を説明する断面図。
【図３】寝具カバーの変形例を示す斜視図。
【考案を実施するための形態】
【００１５】
以下、本考案の寝具カバー１の実施形態について、各図を参照しつつ説明する。寝具カバー１は、図１に示すように、例えば、ファスナー２によって開閉可能な本体４に敷き寝具３としてのマットレスを収納するファスナー付きマットレスカバーである。なお、寝具カバー１はファスナー付きマットレスカバーに限定されるものではなく、例えば、ボックスシーツ、フラットシーツであってもよい。また、寝具カバー１は例えば図３に示すように、敷き寝具３としてのマットレスの両端を収納するベッドパッドであってもよい。また、敷き寝具３はマットレスに限られるものではなく、敷き寝具３は敷布団であっても良い。この場合に寝具カバー１は、ファスナー付きの布団カバーやフィットシーツ、ポケットシーツ、フラットシーツであってもよい。寝具カバー１は、マットレスや敷き布団などの敷き寝具３の上面を覆う構成のものであればどのようなものであってもよい。
【００１６】
寝具カバー１は、少なくとも敷き寝具３の上面を覆う基材部５を有する本体４と、基材部５の上に配置される上面部８とを備える。本体４は、図１に示すように、例えば布製で、敷き寝具３としてのマットレスを完全に覆って収納する袋状である。本体４は、図１及び図２に示すように、敷き寝具３の上面を覆う基材部５、敷き寝具３の下面を覆う底部６、及び敷き寝具３の側周面を覆う側部７を有する。本体４は、一方の側部７には開閉可能なファスナー２が設けられている。
【００１７】
上面部８は本体４の上面に形成される基材部５に縫い付けられる柔らかい網状のシートである。上面部８は液体を吸収することがない樹脂製の糸で形成されており、上面部８は当該上面部８上に流された液体が上面部８のシートを通過可能な通液性を有する。また上面部８は、少なくとも本体４内に収納された敷き寝具３の沈み込みに追従することができる程度の伸縮性を有している。上面部８は、本体４の基材部５の上下の縁及び中間部に幅方向に沿って縫い付けられており、敷き寝具３の両方の側面がそれぞれ開放されている。上面部８は前記敷き寝具３の就寝者の上下方向に向かって３等分されるように本体４の基材部５に縫い付けられており、基材部５と上面部８との間に両方の側面が開放可能な筒状の収納部９が３つ並んで形成されている。なお、上述のように基材部５と上面部８との間の収納部９が両方の側面が開放可能な筒状に形成されることで、後述する機能性シート１０の出し入れを容易にするものであるが、上面部８は、少なくとも一方の側面が開放可能であればよく、収納部９は一方の側面が開放された袋状に形成されていても良い。また、本実施形態においては、上面部８は網状シートであるが、これに限定されるものではなく、例えばポリエステルなどの織布製であってもよい。
【００１８】
収納部９は、本実施形態においては、側面に向かって単に開放しているが、たとえば図示しないファスナーなどの開閉具を設けて、収納部９を開閉可能に構成してもよい。また収納部９は本実施形態においては、３つ並んで形成されているが、収納部９の個数は３つに限定されるものではなく、２つ又は４以上並べて形成されるものであってもよい。
【００１９】
収納部９は機能性シートを挿入するものである。機能性シート１０は、収納部９に収納可能な大きさの矩形の薄いシートであり、敷き寝具３の沈み込みを妨げない柔軟性を有するものが好ましい。機能性シート１０は、例えば、液体を通過させない防水性、液体を内部にとどめる吸水・保水性、熱伝導及び熱放射を防ぐ保温性、熱伝導や熱放射を促進する冷却性、吸湿発熱や化学的又は電気的な熱放出などの発熱性、機能性シート１０の内部に空気が通過可能に形成されている通気性、消臭性などの機能のうちから選択される１又は複数の機能を有するシートである。機能性シート１０は異なる機能を有する複数のシートの中から必要に応じて選択されて収納部９に挿入されることによって、寝具カバー１に収納された寝具に、所望の機能を付加することができるものである。
【００２０】
なお、本実施形態における敷き寝具３としてのマットレスは、図２に示すように、三層構造である。当該敷き寝具３は、上面にプロファイルと呼ばれる凹凸を加工した高反発無膜ウレタンフォーム３ａ、上面にプロファイル加工された高弾性無膜ウレタンフォーム３ｂ、及び上面が平面状に加工された高弾性無膜ウレタンフォーム３ｃの三層から構成されている。なお、本発明の敷き寝具３は上述のものに限定されるものではなく、他の公知のマットレスであってもよい。また、敷き寝具３はマットレスに代えて敷き布団であってもよい。
【００２１】
また、図示しないが、敷き寝具３を収納した寝具カバー１はさらに外カバーに収納される。外カバーは、敷き寝具３を収納した寝具カバー１を完全に覆う形状のものであってもよく、例えばベッドパッドのような敷き寝具３の上面のみを覆う形状のものであってもよい。外カバーは、種々の機能性や肌触りのものから選択することで、寝具カバー１の収納部９に収納された機能性シート１０とともに敷き寝具３の機能性を高めることができるものである。なお、本発明の寝具カバー１に収納される敷き寝具３は、必ずしも外カバーに収納される必要はなく、寝具カバー１の上面部８が露出する構成であってもよい。
【００２２】
例えば、寒い季節には、３つの収納部９にそれぞれ保温性又は発熱性を有する機能性シート１０を挿入して、外カバーの下の敷き寝具３の上面を保温性又は発熱性を有するものとすることで、暖かい敷き寝具とすることができる。また、暑い季節には、例えば３つの収納部９に機能性シート１０を挿入しないことで、外カバーの下には通気及び通水性に優れたウレタンフォームが配置され、蒸れない快適な敷き寝具３とすることができる。また、例えば、３つの収納部９に冷却性を有する機能性シート１０を挿入することで、ひんやりとした敷き寝具３とすることができる。また、例えば乳幼児用や介護用の場合には、防水性や吸水・保水性を有する機能性シート１０を腰の部分に位置する収納部９に挿入することで尿などを寝具カバー１で受けることができ、敷き寝具３自体が汚れることがを防止できる。
【００２３】
以上のように本実施形態の寝具カバー１によると、敷き寝具３の機能性を変更することができるとともに、上下方向に複数の異なる機能性を有する敷き寝具３とすることができる。そして、上面部８は通液性を有する網状に形成されているので、例えば介助用や幼児用の敷き寝具３として用いる場合には、就寝者の腰付近に配置される機能性シート１０を防水性シート又は吸水性シートとすることで、尿などが敷き寝具３に付着することを防止でき、機能性シート１０を取り出すことで汚れた機能性シート１０を簡単に取り替えることもできる。また、上面部８が網状に形成されていることで、寝具カバー１自体には尿などの付着が少なく、且つ簡単に乾燥することができる。そして、上面部８は伸縮性を有するので、敷き寝具３の沈み込みに追従することができ、敷き寝具３自体の寝心地を妨げることを抑制できる。また、敷き寝具３の沈み込みに追従できることで、床ずれの発生も抑制できる。
【００２４】
本考案の実施の形態は上述の形態に限ることなく、本考案の思想の範囲を逸脱しない範囲で適宜変更することができることは云うまでもない。
【産業上の利用可能性】
【００２５】
本考案に係る寝具カバー１は例えば介護の用途に用いられる敷き寝具３の上面を覆う寝具カバー１として好適に用いられる。
【符号の説明】
【００２６】
１      寝具カバー
３      敷き寝具
４      本体
５      基材部
８      上面部
９      収納部
１０    機能性シート
【図１】
0003221594.tif 000003
【図２】
0003221594.tif 000004
【図３】
0003221594.tif 000005